(57)【特許請求の範囲】
【請求項１】
種々の外部機器を接続可能であると共にアナログデータとディジタルデータとを出力可能なインターフェイスと、
前記インターフェイスを介したデータ通信により、当該インターフェイスに接続された外部機器から当該外部機器の種類を表す機器種別ＩＤを取得し、当該機器種別ＩＤに基づいて、当該外部機器の種類を判定して外部機器判定結果を出力する外部機器判定手段と、
前記機器種別ＩＤを取得できなかったとき、旧型の機器と判定し、前記機器種別ＩＤを取得できたとき、当該機器種別ＩＤに基づいて、当該外部機器の種類を判定し、前記機器種別ＩＤに基づく外部機器の種類の判定結果に基づいて、前記インターフェイスに接続された外部機器への出力データの伝送を制御する制御手段とを備え、
前記制御手段は、前記機器種別ＩＤに基づく外部機器の種類の判定結果が当該外部機器が記録装置である場合において、前記外部機器への前記出力データの伝送量が所定伝送量より多いときと再生速度に対応した前記外部機器への前記出力データの伝送速度が所定速度より速いとき、前記インターフェイスからのディジタルデータの出力を禁止する制御を含むデータ伝送装置。
【請求項２】
前記制御手段は、前記出力データのコピーを制限するコピー許可情報に応じて、前記インターフェイスを介した前記外部機器への出力データの伝送を制御する
請求項１に記載のデータ伝送装置。
【請求項３】
更に、記録媒体から前記出力データを再生する再生手段を備え、
前記コピー許可情報は、前記記録媒体に前記出力データと共に記録されたデータである
請求項２に記載のデータ伝送装置。
【請求項４】
更に、記録媒体から前記出力データを再生する再生手段を備え、
前記制御手段は、前記記録媒体に応じて、前記インターフェイスを介した前記外部機器への前記出力データの伝送を制御する
請求項１−３のうち何れか１項に記載のデータ伝送装置。
【請求項５】
前記制御手段は、前記出力データを選択的に暗号化して前記外部機器へ伝送する
請求項１−４のうち何れか１項に記載のデータ伝送装置。
【請求項６】
更に、前記インターフェイスを介した前記出力データの伝送に応じて課金処理を実行する課金手段を備え、
前記制御手段は、前記外部機器判定結果に応じて、前記課金手段の処理を制御する
請求項１−５のうち何れか１項に記載のデータ伝送装置。
【発明の詳細な説明】
【０００１】
技術分野
本発明は、データ伝送装置に関し、例えばコンパクトディスクプレーヤ、衛星放送受信機等に適用される。本発明は、特に、データの出力先機器の種類等に応じて、データの伝送を制御することにより、また必要に応じて課金処理を行うことにより、所謂違法コピーを防止するものである。
【０００２】
背景技術
従来、ＣＳ衛星放送、インターネット等において、電子音楽配信（ＥＭＤ：Ｅｌｅｃｔｒｉｃ Ｍｕｓｉｃ Ｄｉｓｔｒｉｂｕｔｉｏｎ）サービスにより音楽を配信するようになっている。このような音楽の配信は、ネットワークを介してコンテンツプロバイダが各端末を認証して音楽の受信を許可するものであり、受信者側は、音楽を視聴する毎に課金がなされる。
【０００３】
コンパクトディスクのようなパッケージメディアによる音楽の配布は、所謂売り切りの媒体による音楽の配信であり、特別の場合を除き、ユーザ側で何度視聴しても常にメディアの配布時に徴収した一定料金が課されるシステムである。
【０００４】
ところで、パッケージメディアにおいては、販売時に予定された私的な複製以外に、違法なコピーにより所謂海賊版が出回る場合がある。
【０００５】
また、電子音楽配信サービスにあっても、受信者側で私的な複製以外に配信した音楽が違法にコピーされる場合もある。
【０００６】
発明の開示
本発明は、上述した実情に鑑みてなされたものであり、本発明の目的は、コンパクトディスク等のパッケージメディアのプレーヤ、衛星放送受信機等のネットワーク端末において、違法なコピーを防止することができるデータ伝送装置を提供するものである。
【０００７】
本発明に係るデータ伝送装置は、種々の外部機器を接続可能であると共にアナログデータとディジタルデータとを出力可能なインターフェイスと、前記インターフェイスを介したデータ通信により、当該インターフェイスに接続された外部機器から当該外部機器の種類を表す機器種別ＩＤを取得し、当該機器種別ＩＤに基づいて、当該外部機器の種類を判定して外部機器判定結果を出力する外部機器判定手段と、前記機器種別ＩＤを取得できなかったとき、旧型の機器と判定し、前記機器種別ＩＤを取得できたとき、当該機器種別ＩＤに基づいて、当該外部機器の種類を判定し、前記機器種別ＩＤに基づく外部機器の種類の判定結果に基づいて、前記インターフェイスに接続された外部機器への出力データの伝送を制御する制御手段とを備える。前記制御手段は、前記機器種別ＩＤに基づく外部機器の種類の判定結果が当該外部機器が記録装置である場合において、前記外部機器への前記出力データの伝送量が所定伝送量より多いときと再生速度に対応した前記外部機器への前記出力データの伝送速度が所定速度より速いとき、前記インターフェイスからのディジタルデータの出力を禁止する制御を含む。
【０００８】
発明を実施するための最良の形態
以下、本発明に係るデータ伝送装置、データ伝送方法及びデータ記録媒体について、図面を参照しながら説明する。
【０００９】
図１は、外部機器の種類に応じてオーディオデータの伝送を制御する本発明を適用した光ディスク装置の具体的な構成を示すブロック図である。図１に示すように、光ディスク装置１において、光ディスク２は、例えばコンパクトディスク（ＣＤ）等の再生専用のパッケージメディアである。
【００１０】
光ディスク装置１において、スピンドルモータ３は、所定のクランプ機構により回転軸に光ディスク２をクランプした状態で、サーボ回路４の制御の下に、光ディスク２を所定の回転速度で回転駆動する。
【００１１】
サーボ回路４は、システム制御回路５の制御の下に、光ピックアップ６によって得られる再生結果に基づいてスピンドルモータ３を駆動する。また、サーボ回路４は、システム制御回路５の指示により光ディスク２の半径方向に光ピックアップ６を移動する。
【００１２】
光ピックアップ６は、内蔵の半導体レーザーからレーザービームを射出し、図示しない対物レンズを介して、レーザービームを光ディスク２の情報記録面に集光して照射する。光ピックアップ６は、情報記録面で反射されるレーザービームの戻り光を所定の受光素子で受光し、受光結果を出力する。光ピックアップ６は、受光結果からトラッキングエラー信号、フォーカスエラー信号等を生成する。サーボ回路４は、これらのトラッキングエラー信号、フォーカスエラー信号に基づいて、対物レンズをトラッキングサーボ制御、フォーカスサーボ制御する。
【００１３】
また、光ピックアップ６は、受光結果から光ディスク２に形成されたピット及びランドに応じて信号レベルが変化する再生ＲＦ信号を出力する。光ディスク装置１は、この再生ＲＦ信号を処理して光ディスク２に記録されている情報を再生する。
【００１４】
具体的には、ＲＦアンプ７は、再生ＲＦ信号を所定の利得で増幅するとともに、波形等化して、ＥＦＭ復調回路８に供給する。ＥＦＭ復調回路８は、再生ＲＦ信号からクロックを再生するとともに、クロックを基準にして再生ＲＦ信号を２値識別して、再生データを生成する。また、ＥＦＭ復調回路８は、再生データを１４チャンネルビット毎にＥＦＭ（ｅｉｇｈｔ ｔｏ ｆｏｕｒｔｅｅｎ Ｍｏｄｕｌａｔｉｏｎ）復調して、８ビットの再生データを順次ランダムアクセスメモリ（以下、ＲＡＭという。）９に供給する。
【００１５】
ＲＡＭ９は、８ビットの再生データを一旦保持し、ＣＩＲＣ（Ｃｒｏｓｓ Ｉｎｔｅｒｌｅａｖｅ Ｒｅｅｄ−Ｓｏｌｏｍｏｎ Ｃｏｄｅ）デコーダ１０は、ＲＡＭ９に保持された再生データを読み出し、再生データに付加されている誤り訂正符号によって再生データの誤り訂正処理を行い、処理結果であるオーディオデータを再びＲＡＭ９に格納する。ＲＡＭ９は、システム制御回路５の制御の下に、オーディオデータを所定の順序に従って読み出して、すなわちデインターリーブ処理して、補間回路１１に出力する。
【００１６】
補間回路１１は、ＲＡＭ９から供給されるオーディオデータのＣＩＲＣデコーダ１０では誤り訂正困難な部分に補間処理を施して、ディジタル／アナログ変換器（以下、Ｄ／Ａ変換器という。）１２に供給する。Ｄ／Ａ変換器１２は、補間回路１１からのオーディオデータをアナログ信号に変換して、オーディオ信号ＳＡを出力する。
【００１７】
インターフェイス（Ｉ／Ｆ）１４は、外部に接続された機器（以下、外部機器という。）の認証機能を有するインターフェイスであり、例えばＩＥＥＥ１３９４のインターフェイスである。すなわち、インターフェイス１４は、外部機器が接続されると、また接続された外部機器の電源が投入されると、外部機器とのデータ通信を行い、外部機器を認証する。インターフェイス１４は、外部機器の認証結果に応じて、外部機器を含むネットワークにおけるシステム構成に対応するノード番号等を獲得し、ノード番号等により種々のデータ交換を実行する。
【００１８】
具体的には、インターフェイス１４は、外部機器の認証過程において、外部機器から取得した外部機器の種類を表すコード（以下、機器種別ＩＤという。）を認証回路１５に通知する。例えば、アンプ、ハードディスク装置、光ディスク装置、モデム、パーソナルコンピュータ等のネットワークに接続された種々の機器が、機器種別ＩＤによって判別することができる。
【００１９】
インターフェイス１４は、ネットワークのシステム構成に対応したノード番号の指定によって、外部機器から光ディスク２の再生が要求されると、要求を認証回路１５を介してシステム制御回路５に通知する。システム制御回路５は、例えば接点がオン状態となるようにスイッチ１３を制御して、オーディオデータを外部機器に出力し、又は接点がオフ状態となるスイッチ１３を制御して、オーディオデータの外部機器への伝送を停止する。
【００２０】
具体的には、認証回路１５は、外部機器からの要求をシステム制御回路５に通知するとともに、事前に取得した機器種別ＩＤに基づいて、要求を送出した外部機器がデータを蓄積保持可能な機器か否か判定し、得られる外部機器判定結果をシステム制御回路５に供給する。データを蓄積保持可能な機器としては、例えば半導体メモリ装置、ハードディスク装置、光ディスク装置、パーソナルコンピュータ等がある。
【００２１】
これとは逆に、ユーザによる操作盤１６の操作に応じて光ディスク２を再生する場合、認証回路１５は、システム制御回路５からの要求によって、インターフェイス１４に接続された外部機器についての外部機器判定結果をシステム制御回路５に通知する。なお、認証回路１５は、外部機器から機器種別ＩＤを取得できないときは、認識困難な旨の判定結果をシステム制御回路５に出力する。
【００２２】
システム制御回路５は、例えばマイクロプロセッサからなり、操作盤１６の操作に応じて、又は外部機器からの要求に応じて、光ディスク装置１全体の動作を制御し、必要に応じて表示部１７に種々の表示を行う。
【００２３】
ここで、外部機器からの要求、又はユーザによる操作盤１６の操作に応じて光ディスク２を再生する際のシステム制御回路５の具体的な動作について、図２に示すフローチャートを用いて説明する。
【００２４】
ステップＳ１において、システム制御回路５は、オーディオデータを送出する際に、認証回路１５から対応する外部機器の外部機器判定結果を取得し、ステップＳ２に進む。
【００２５】
ステップＳ２において、システム制御回路５は、認証回路１５から供給される外部機器判定結果に基づいて、外部機器の種類を認証できたか否か判定する。そして、否定結果（ＮＯ）が得られると、外部機器が機器種別ＩＤを出力することができない旧型の機器と判定して、ステップＳ３に進む。
【００２６】
ステップＳ３において、システム制御回路５は、光ディスク１を再生してオーディオデータを出力するように各回路を制御するとともに、接点をオン状態に切り換えるようにスイッチ１３を制御した後、処理を終了する。
【００２７】
一方、ステップＳ２において肯定結果（ＹＥＳ）が得られると、システム制御回路５は、ステップＳ４に進み、外部機器が蓄積保持可能な機器、すなわちコピー機能を有する機器か否か判定する。システム制御回路５は、外部機器がコピー機能を有する機器のときは、ステップＳ５に進み、スイッチ１３の設定をオフ状態に保持するとともに、認証回路１５及びインターフェイス１４を介して外部機器にオーディオデータを出力しない旨を通知し、また表示部１７に同様のメッセージを表示した後、処理を終了する。すなわち、システム制御回路５は、外部機器がコピー機能を有する機器のときは、光ディスク２を再生し、Ｄ／Ａ変換器１２を介してアナログオーディオ信号ＳＡは出力するが、オーディオデータ（以下、ディジタルオーディオ信号ともいう。）の送出は行わない。
【００２８】
一方、外部機器がコピー機能を有しない機器のときは、システム制御回路５は、ステップＳ４からステップＳ３に進み、上述したように、光ディスク１を再生してオーディオデータを出力するように各回路を制御するとともに、接点をオン状態に切り換えるようにスイッチ１３を制御した後、処理を終了する。
【００２９】
以上の説明でも明らかなように、図１に示す構成の光ディスク装置１では、外部機器からインターフェイス１４を介して光ディスク２の再生が要求されると、又はユーザによる操作盤１６の操作によって光ディスク２の再生が指示されると、インターフェイス１４に接続された外部機器がディジタルオーディオ信号をコピー可能な機器か否か判定される。
【００３０】
外部機器がコピー機能を有する蓄積系の機器と判定された場合、インターフェイス１４を介した外部機器へのディジタルオーディオ信号の伝送が停止するように制御された状態で、光ディスク２が順次再生され、コピー機能を有する蓄積系の外部機器による違法なコピーが防止される。
【００３１】
外部機器が、例えばアンプ、スピーカ、ヘッドホン、ディジタル／アナログ変換装置のように、ディジタルオーディオ信号をコピーできない機器の場合、また機器種別ＩＤを有していない旧型の機器の場合、順次再生されるディジタルオーディオ信号がインターフェイス１４を介して外部機器に出力され、ユーザは、高音質の音楽等を聴くことができる。
【００３２】
換言すると、光ディスク装置１では、インターフェイス１４を介したデータ通信によって、インターフェイス１４に接続された外部機器がデータを蓄積保持可能な機器か否かが判定され、外部機器判定結果に基づいて、インターフェイスを介した外部機器へのオーディオデータの伝送が停止するように制御され、違法なコピーが有効に防止される。
【００３３】
図３は、光ディスク２に予め記録されているコピー許可情報に基づいてオーディオデータの伝送を制御する本発明を適用した光ディスク装置の具体的な構成を示すブロック図である。なお、図３に示すように、光ディスク装置２１を構成する回路のうち、図１に示す光ディスク装置１の回路と同じ回路には、同一の符号を付し、それらの詳細については、説明を省略する。
【００３４】
光ディスク装置２１において、システム制御回路２２は、光ディスク２が装填されると、又は電源が投入されると、光ディスク２のリードインエリアをアクセスするように各回路を制御し、このリードインエリアから光ディスク２のコピー許可情報を取得する。
【００３５】
コピー許可情報は、例えば図４に示すように、２ビットのコードからなり、光ディスク２に記録された音楽ソースについて、コピーの許可を示す情報である。具体的には、コピー許可情報は、２ビットのコードの値が「００」のとき、ディジタル信号による場合でも、アナログ信号による場合でもコピーを禁止することを表している。また、コピー許可情報は、２ビットのコードの値が「０１」のとき、アナログ信号による一世代のコピーを許可し、値が「１０」のとき、ディジタル信号又はアナログ信号による一世代のコピーを許可することを表している。さらに、コピー許可情報は、２ビットのコードの値が「１１」のとき、ディジタル信号及びアナログ信号の区別なく、何世代でもコピーを許可することを表している。
【００３６】
光ディスク装置２１において、システム制御回路２２は、コピー許可情報と認証回路１５による外部機器判定結果に基づいて、インターフェイス１４を介したディジタルオーディオ信号の送出を制御する。
【００３７】
例えば、コピー許可情報の値が「１１」及び「１０」のときは、システム制御回路２２は、外部機器判定結果の如何に拘わらず、アナログオーディオ信号とディジタルオーディオ信号を出力するように各回路を制御する。
【００３８】
コピー許可情報の値が「０１」及び「００」のときは、システム制御回路２２は、外部機器がコピー可能な機器の場合のみ、ディジタルオーディオ信号の出力を停止するように各回路を制御する。
【００３９】
また、システム制御回路２２は、ディジタルオーディオ信号を出力する際には、コピー許可情報を付加して出力し、アナログオーディオ信号を出力する際には、例えば、スペクトルが大きな成分の近傍に、コピー許可情報を所謂ウォータマーク（ｗａｔｅｒｍａｒｋ）として付加して出力する。これによって、ＳＣＭＳ（Ｓｅｒｉａｌ Ｃｏｐｙ Ｍａｎａｇｅｍｅｎｔ Ｓｙｓｔｅｍ）等のコピーマネージメントシステムによる著作物の保護が図られる。
【００４０】
すなわち、図３に示す構成の光ディスク装置２１では、認証回路１５による外部機器判定結果に加えて、コピー許可情報に基づいて、オーディオデータの伝送を制御することにより、所謂違法コピーを防止して著作権者の保護を図ることができる。
【００４１】
図５は、外部機器へのディジタルオーディオ信号の伝送速度に基づいて、外部機器へのディジタルオーディオ信号の伝送を制御する本発明を適用した光ディスク装置の具体的な構成を示すブロック図である。なお、図５に示すように、光ディスク装置３１を構成する回路のうち、図１に示す光ディスク装置１の回路と同じ回路には、同一の符号を付して、それらの詳細については、説明を省略する。
【００４２】
光ディスク装置３１において、システム制御回路３２は、ユーザによる操作盤１６の再生操作、又は外部機器からの再生要求に応じて、内蔵する出力スピード制御回路３２Ａによって光ディスク２の回転速度を切り換えて、光ディスク２の標準速再生又は倍速再生を制御する。
【００４３】
ディジタルオーディオ信号は、アナログオーディオ信号を所定のサンプリング周波数でサンプリングして生成されたディジタル信号であり、サンプリング周波数に対応する速度で光ディスク２からディジタルオーディオ信号を再生する場合が標準速再生であり、サンプリング周波数に対応する速度よりも高速度に光ディスク２を回転させて、ディジタルオーディオ信号を再生する場合が倍速再生である。例えば、倍速再生には、標準速再生に対して１．５倍、２倍、４倍、８倍、１２倍、１６倍、．．．．．．の速度で再生する１．５倍速再生、２倍速再生、４倍速再生、８倍速再生、１２倍速再生、１６倍速再生、．．．．．．がある。
【００４４】
システム制御回路３２は、認証回路１５による外部機器判定結果に加えて、再生速度に対応するデータ伝送速度に基づいて、ディジタルオーディオ信号の伝送を制御する。倍速再生を行う場合は、オーディオデータの再生を目的とするよりもコピーを目的とする場合が多いと考えられる。コピーの場合は、違法コピーの可能性が高いと考えられる。
【００４５】
ここで、システム制御回路３２の具体的な動作について、図６に示すフローチャートを参照しながら説明する。
【００４６】
ステップＳ１１において、システム制御回路３２は、ディジタルオーディオ信号の再生が倍速再生か否か判定し、倍速再生のときは、ステップＳ１６に進み、接点がオフ状態となるようにスイッチ１３を制御し、ディジタルオーディオ信号の伝送を停止する。ディジタルオーディオ信号の再生が標準速再生の場合、システム制御回路３２は、ステップＳ１２に進み、図２のステップＳ１乃至ステップＳ４と同様の処理を行う。すなわち、システム制御回路３２は、ステップＳ１２において認証回路１５から外部機器判定結果を取得し、ステップＳ１３において外部機器の種類を判別し、ステップＳ１４においてディジタルオーディオ信号を出力し、ステップＳ１５において外部機器がコピー機能を有する蓄積系の機器か否かを判定する。この結果、システム制御回路３２は、ディジタルオーディオ信号の再生が標準速再生であって、外部機器が機器種別ＩＤを有しない旧型の機器、又は蓄積保持可能な機器でない場合に、ディジタルオーディオ信号を伝送するように各回路を制御し、それ以外のときは、外部機器に対するディジタルオーディオ信号の伝送を停止するように各回路を制御する。
【００４７】
換言すると、図５に示す構成の光ディスク装置３１では、認証回路１５による外部機器判定結果に加え、再生速度、すなわちデータ伝送速度に基づき、ディジタルオーディオ信号の伝送を制御することによって、より確実に違法コピーを防止することができる。
【００４８】
なお、図６のフローチャートにおける各処理（ステップ）の順番は、図６に示す順番に限定されるものではなく、例えば図７に示すように、ディジタルオーディオ信号の再生が倍速度再生であるかの判定ステップＳ１１を最後に行うようにしてもよい。この場合、外部機器がコピー可能な機器であるときのみ、ディジタルオーディオ信号の再生が倍速再生か否かが判定され、倍速再生のときに、ディジタルオーディオ信号の出力が停止される。すなわち、外部機器がコピー可能な機器の場合に限り、倍速再生によるディジタルオーディオ信号の伝送を停止することにより、違法コピーの可能性が高い場合において、コピーを確実に防止することができる。
【００４９】
また、光ディスク２に予め記録されているコピー許可情報に、ディジタルオーディオ信号の再生速度、すなわちオーディオデータの伝送速度の条件を加えるようにしてもよい。
【００５０】
例えば図８に示すように、光ディスク２に予め記録されているコピー許可情報を３ビットのコードとし、コピー許可情報は、３ビットのコードの値が「０００」のとき、コピーの禁止を表し、値が「００１」のとき、標準速再生によってのみ、ユニコピーを許可することを表す。ユニコピーとは、１つのみの複製を意味し、１つの光ディスク装置３１によって再生して出力されるディジタルオーディオ信号を複数台の機器で同時に並列的にコピーすることを禁止することを意味する。
【００５１】
コピー許可情報は、３ビットのコードの値が「０１０」のとき、倍速再生及び標準速再生によるユニコピーを許可することを表し、値が「０１１」のとき、倍速再生によってはユニコピーのみ、標準速再生によっては一世代のみのコピーを許可することを表す。また、コピー許可情報は、３ビットのコードの値が「１００」のとき、倍速再生及び標準速再生による一世代のコピーのみを許可することを表し、値が「１１１」のとき、再生速度、ディジタル信号及びアナログ信号の区別なく、何世代でもコピーを許可することを表す。
【００５２】
システム制御回路３２は、コピー許可情報に応じて、コピー許可情報の値が「１１１」及び「１００」のとき、再生速度、外部機器判定結果の如何に拘わらず、アナログオーディオ信号とディジタルオーディオ信号を出力するように各回路を制御する。
【００５３】
システム制御回路３２は、コピー許可情報の値が「０１１」のとき、標準速再生の場合には、外部機器判定結果の如何に拘わらず、アナログオーディオ信号とディジタルオーディオ信号を出力するように各回路を制御する。また、システム制御回路３２は、倍速再生の場合には、外部機器判定結果に応じて、ディジタルオーディオ信号の出力先として複数の外部機器が指定され、これらの外部機器にコピー機能を有する機器が２台以上含まれる場合に限り、ディジタルオーディオ信号の出力が停止するように各回路を制御する。
【００５４】
システム制御回路３２は、コピー許可情報の値が「０１０」のとき、再生速度の如何に拘わらず、ディジタルオーディオ信号の出力先として複数の外部機器が指定され、これらの外部機器にコピー機能を有する機器が２台以上含まれる場合に限り、ディジタルオーディオ信号の出力が停止するように各回路を制御する。
【００５５】
システム制御回路３２は、コピー許可情報の値が「００１」のとき、倍速再生においては、外部機器判定結果に応じ、ディジタルオーディオ信号の出力先としてコピー機能を有する外部機器が指定されているときは、ディジタルオーディオ信号の出力が停止するように各回路を制御し、標準速再生においては、ディジタルオーディオ信号の出力先に複数の外部機器が指定され、これらの外部機器にコピー機能を有する機器が２台以上含まれる場合に限り、ディジタルオーディオ信号の出力が停止するように各回路を制御する。
【００５６】
システム制御回路３２は、コピー許可情報の値が「０００」のとき、再生速度の如何に拘わらず、外部機器判定結果に応じ、ディジタルオーディオ信号の出力先としてコピー機能を有する機器が指定されているときは、ディジタルオーディオ信号の出力が停止するように各回路を制御する。
【００５７】
また、システム制御回路３２は、ディジタルオーディオ信号を出力する際には、コピー許可情報を付加して出力し、アナログオーディオ信号を出力する際には、例えばスペクトルが大きな成分の近傍に、コピー許可情報をウォータマークとして付加して出力する。
【００５８】
図８に示すコピー許可情報を用いることによって、認証回路１５による外部機器判定結果に加え、ディジタルオーディオ信号の伝送速度に基づいて、ディジタルオーディオ信号の伝送を制御することができ、さらに一段と確実に違法コピーを防止することができる。
【００５９】
図９は、外部機器へのディジタルオーディオ信号の伝送量に基づいて、外部機器へのディジタルオーディオ信号の伝送を制御する本発明を適用した光ディスク装置の具体的な構成を示すブロック図である。図９に示すように、光ディスク装置４１を構成する回路のうち、図１に示す光ディスク装置１の回路と同じ回路には、同一の符号を付して、それらの詳細については、説明を省略する。
【００６０】
光ディスク装置４１において、システム制御回路４２は、ユーザによる操作盤１６の再生操作、又は外部機器からの再生要求に応じて、内蔵するデータ出力量検出部４２Ａによって光ディスク２から再生されて外部機器に伝送されるディジタルオーディオ信号の伝送量を検出する。ユーザが一曲単位でコピーを繰り返す場合も考えられることにより、システム制御回路４２は、光ディスク２から再生されるディジタルオーディオ信号の積算量によって、伝送量を検出する。
【００６１】
ユーザが一曲単位で光ディスク２に記録されたディジタルオーディオ信号をコピーする場合は、ユーザが個人的に気に入った曲をコピーして楽しむ場合と考えられるが、光ディスク２をそっくりそのままコピーする場合には、複製物の配布を目的としていると考えられる。ユーザが例えば一曲だけコピーするときは、一曲の音楽の長さを４分とすると、その伝送量は３６ＭＢであるのに対して、ユーザが例えば６０分の光ディスク２をそっくりコピーするときは、その伝送量は５４０ＭＢとなる。すなわち、システム制御回路４２は、外部機器がコピー機能を有する機器であって、データ伝送量が所定値、例えば３６ＭＢ以上の場合には、ディジタルオーディオ信号の伝送が停止するように各回路を制御する。
【００６２】
換言すると、図９に示す構成の光ディスク装置４１では、認証回路１５による外部機器判定結果に加え、ディジタルオーディオ信号の伝送量に基づき、ディジタルオーディオ信号の伝送を制御することによって、さらに細かく違法コピーを防止することができる。
【００６３】
なお、本発明は上述した具体例に限定されるものではなく、例えば、インターフェイス１４を介して外部機器にディジタルオーディオ信号を伝送する際に、外部機器の認証処理を省略して、ディジタルオーディオ信号の伝送を制御するようにしてもよい。すなわち、例えばパーソナルコンピュータでは、ユーザがデータ通信の条件を様々に設定できるので、ユーザが機器種別ＩＤを偽造することも考えられる。ユーザが機器種別ＩＤを偽造すると、上述した外部機器の認証処理が何ら意味を持たなくなる。そこで、インターフェイス１４として、例えばＩＥＥＥ１３９４バス、ＵＳＢ（Ｕｎｉｖｅｒｓａｌ Ｓｅｒｉａｌ Ｂｕｓ）等のパーソナルコンピュータが接続可能なインターフェイスを用いる場合、上述した外部機器の認証処理を省略して、ディジタルオーディオ信号の伝送を制御する。この結果、ユーザが機器種別ＩＤを偽造した場合でも、違法コピーを有効に防止することができる。
【００６４】
また、例えば、認証回路１５による外部機器判定結果に加えて、コピー許可情報、データ伝送速度、データ伝送量に基づいて、インターフェイス１４を介した外部機器へのディジタルオーディオ信号の伝送を制御するようにしてもよい。すなわち、コピー許可情報に基づいて外部機器へのディジタルオーディオ信号の伝送を制御し、複製物の配布を目的としたコピーが考えられる場合には、さらにデータ伝送速度及びデータ伝送量に応じて、ディジタルオーディオ信号の伝送を停止するように制御する。換言すると、認証回路１５による外部機器判定結果に加えて、コピー許可情報、データ伝送速度、データ伝送量に基づいて、インターフェイス１４を介した外部機器へのオーディオデータの伝送を制御することによって、さらに一段ときめ細やかに違法コピーを防止することができる。なお、この場合、何れの条件を優先するかは、適宜選定することができる。
【００６５】
図１０は、ディジタルオーディオ信号を選択的に暗号化して伝送する本発明を適用した光ディスク装置の具体的な構成を示すブロック図である。図１０に示すように、光ディスク装置５１は、図１に示す光ディスク装置１のスイッチ１３に代えて、暗号化回路５２及び暗号解除回路５３を補間回路１１とインターフェイス１４の間に備える。なお、光ディスク装置５１を構成する回路のうち、図１に示す光ディスク装置１の回路と同じ回路には、同一の符号を付し、それらの詳細については、説明を省略する。
【００６６】
暗号化回路５２は、補間回路１１から出力されるディジタルオーディオ信号を暗号化して暗号解除回路５３に供給する。暗号解除回路５３は、システム制御回路５の制御の下に、図１に示すスイッチ１３がオン状態に設定されるときに、暗号化回路５２から供給される暗号化されたディジタルオーディオ信号の暗号を解除して、インターフェイス１４に出力する。また、暗号解除回路５３は、スイッチ１３がオフ状態に設定されて、ディジタルオーディオ信号の伝送が停止されるときに、暗号化回路５２からの暗号化されているディジタルオーディオ信号をそのままインターフェイス１４に出力する。
【００６７】
すなわち、図１０に示す構成の光ディスク装置５１では、上述した具体例におけるスイッチ１３によるディジタルオーディオ信号の伝送の制御に代えて、暗号化されたディジタルオーディオ信号と、暗号化されていないディジタルオーディオ信号とを選択的に伝送することによって、ディジタルオーディオ信号の伝送を制御している。換言すると、光ディスク装置５１では、暗号化されたディジタルオーディオ信号と、暗号化されていないディジタルオーディオ信号とを選択的に伝送することによって、ユーザが暗号化されたディジタルオーディオ信号をコピーしても、その暗号を解くことができないので、元のディジタルオーディオ信号に対応した音楽を聴くことできない、すなわち違法コピーを防止することができる。
【００６８】
図１１は、光ディスクにディジタルオーディオ信号が暗号化されて記録されている場合の本発明を適用した光ディスク装置の具体的な構成を示すブロック図である。図１１に示すように、光ディスク装置６１は、図１に示す光ディスク装置１のスイッチ１３に代えて、暗号解除回路６２をＲＡＭ９と補間回路１１の間に備える。なお、光ディスク装置６１を構成する回路のうち、図１に示す光ディスク装置１の回路と同じ回路には、同一の符号を付し、それらの詳細については、説明を省略する。
【００６９】
暗号解除回路６２は、システム制御回路５の制御の下に、図１に示すスイッチ１３がオン状態に設定されるときに、ＲＡＭ９から供給される暗号化されたディジタルオーディオ信号の暗号を解除して、補間回路１１に供給する。また、暗号解除回路６２は、スイッチ１３がオフ状態に設定されて、ディジタルオーディオ信号の伝送が停止されるときに、ＲＡＭ９からの暗号化されているディジタルオーディオ信号をそのまま補間回路１１に出力する。
【００７０】
すなわち、図１１に示す構成の光ディスク装置６１では、図１０に示す光ディスク装置５１と同様に、スイッチ１３によるディジタルオーディオ信号の伝送の制御に代えて、暗号化されたディジタルオーディオ信号と、暗号化されていないディジタルオーディオ信号とを選択的に伝送することによって、ディジタルオーディオ信号の伝送を制御している。換言すると、光ディスク装置６１では、光ディスク２にディジタルオーディオ信号が予め暗号化されて記録されており、暗号化されたディジタルオーディオ信号と、暗号化されていないディジタルオーディオ信号とを選択的に伝送することによって、図１０に示す光ディスク装置５１と同様に効果、すなわち違法コピーを防止することができる。
【００７１】
図１２は、伝送するディジタルオーディオ信号のデータ量に基づいて課金する本発明を適用した光ディスク装置の具体的な構成を示すブロック図である。なお、図１２に示すように、光ディスク装置７１を構成する回路のうち、図１に示す光ディスク装置１の回路と同じ回路には、同一の符号を付し、それらの詳細については、説明を省略する。
【００７２】
光ディスク装置７１においては、光ディスク７２は、例えば所謂ＣＤ−Ｒであり、例えば外周側に課金金額の合計に対応した大きさの記録可能な領域ＡＲが設けられている。
【００７３】
光ディスク装置７１においては、光ピックアップ７５は、図１示す光ピックアップ６の構成に加えて、ドライバ７６の制御により光ディスク７２に照射するレーザービームの光量を間欠的に強め、システム制御回路７４の制御により光ディスク７２の記録可能な領域ＡＲに順次ピットを形成するように構成されている。
【００７４】
課金回路７３は、システム制御回路７４の制御の下に、課金金額を算出して、システム制御回路７４に供給し、システム制御回路７４は、図１３に示すフローチャートに従って、課金処理を行う。
【００７５】
システム制御回路７４は、外部機器からの再生要求、又はユーザによる操作盤１６の再生操作があると、ステップＳ２１において、認証回路１５から対応する外部機器の外部機器判定結果を取得し、ステップＳ２２に進む。
【００７６】
ステップＳ２２において、システム制御回路７４は、認証回路１５から供給される外部機器判定結果に基づいて、外部機器の種類を認証できたか否か判定する。そして、否定結果が得られると、外部機器が機器種別ＩＤを出力することができない旧型の機器と判定して、ステップＳ２３に進む。
【００７７】
ステップＳ２３において、システム制御回路７４は、光ディスク７２を再生してオーディオデータを出力するように各回路を制御するとともに、接点をオン状態に切り換えるようにスイッチ１３を制御した後、処理を終了する。
【００７８】
一方、ステップＳ２２において肯定結果が得られると、システム制御回路７４は、ステップＳ２４に進み、外部機器がデータを蓄積保持可能な機器、すなわちコピー機能を有する機器か否か判定する。システム制御回路７４は、外部機器がコピー機能を有しない機器のときは、ステップＳ２３に進み、上述したように、光ディスク７２を再生してオーディオデータを出力するように各回路を制御するとともに、接点をオン状態に切り換えるようにスイッチ１３を制御した後、処理を終了する。
【００７９】
一方、外部機器がコピー機能を有する機器のときは、システム制御回路７４は、ステップＳ２４からステップＳ２５に進み、内蔵する出力スピード制御部３２Ａによって再生速度Ｓを検出した後、ステップＳ２６に進む。ステップＳ２６において、システム制御回路７４は、内蔵するデータ出力量検出部４２Ａによって再生されたディジタルオーディオ信号のデータ量Ｑを検出する。なお、データ量Ｑは、再生されたディジタルオーディオ信号の累積値ではなく、一連の操作によって再生されるディジタルオーディオ信号のデータ量である。
【００８０】
ステップＳ２７において、システム制御回路７４は、再生速度Ｓとデータ量Ｑを課金回路７３に供給し、課金回路７３は、再生速度Ｓとデータ量Ｑを用い、例えば下記式に従って課金金額Ｂを算出して、システム制御回路７４に供給する。システム制御回路７４は、課金金額Ｂを表示部１７に表示した後、ステップＳ２８に進む。
【００８１】
Ｂ＝ｂ×Ｑ×（０．９＋Ｓ／（１０×Ｓ０））
ここで、ｂは、基本の単価であり、例えば２円／Ｍｂｉｔである。Ｓ０は、標準速再生の速度である。光ディスク装置７１においては、外部機器がコピー可能な機器の場合、課金回路７３は、送出するディジタルオーディオ信号のデータ量Ｑ、伝送速度Ｓに応じて金額を増大するように課金する。
【００８２】
ステップＳ２８において、システム制御回路７４は、ユーザによる操作盤１６の操作、又は外部機器からの通知により、ユーザが課金されることを了解したか否か判定する。肯定結果が得られると、システム制御回路７４は、光ピックアップ７５を光ディスク７２の外周側の課金の領域ＡＲにシークさせ、領域ＡＲに課金金額Ｂに対応する空き領域が存在するか否か判定する。領域ＡＲに課金金額Ｂに対応する空き領域があるときは、システム制御回路７４は、課金金額Ｂに応じて領域ＡＲの空き領域が減少するように、所定のデータを領域ＡＲに記録する。そして、システム制御回路７４は、ステップＳ２３に進み、ディジタルオーディオ信号の再生を開始するとともに、ディジタルオーディオ信号を外部機器に伝送するように、各回路を制御する。
【００８３】
一方、ステップＳ２８において、ユーザが課金に同意しないとき、又は課金料金Ｂに対応する空き領域が領域ＡＲに存在しないときは、システム制御回路７４は、ステップＳ２９に進む。ステップＳ２９において、システム制御回路７４は、アナログオーディオ信号が出力されるように各回路を制御するとともに、接点がオフ状態となるようにスイッチ１３を制御して、ディジタルオーディオ信号の伝送を停止した後、処理を終了する。
【００８４】
すなわち、光ディスク装置７１では、インターフェイス１４に接続された外部機器の種類を判定し、外部機器判定結果に基づいて、課金処理を制御することにより、ディジタルオーディオ信号の私的な複製に限らず、ディジタルオーディオ信号を複製して種々の用途に利用する場合に、利用に応じた料金を徴収でき、違法コピーを有効に防止することができる。
【００８５】
さらに、ディジタルオーディオ信号の伝送速度に応じて、課金金額を切り換えるようにしてもよい。この場合は、さらにきめ細かく料金を徴収することができる。
【００８６】
なお、光ディスク装置７１では、光ディスク７２の記録可能な領域ＡＲを、課金金額に応じて埋めるようにしているが、例えば、光ディスク７２に許容されるディジタルオーディオ信号の伝送量に対応した課金金額の合計のデータを、光ディスク７２のリードインエリアに予め記録しておき、伝送するディジタルオーディオ信号のデータ量に応じて、課金金額の合計のデータを更新し、更新された課金金額の合計のデータが、所定値以上になったときに、ディジタルオーディオ信号の伝送を停止するようにしてもよい。
【００８７】
図１４は、伝送するディジタルオーディオ信号のデータ量に基づいて課金する本発明を適用した光ディスク装置の他の具体的な構成を示すブロック図である。なお、図１４に示すように、光ディスク装置８１を構成する回路のうち、図１２に示す光ディスク装置７１の回路と同じ回路には、同一の符号を付し、それらの詳細については、説明を省略する。
【００８８】
光ディスク装置８１は、光ディスク７２に設けられている課金の領域ＡＲによる課金、プリペイドカード８２による課金、電話回線８４を介した集計センタ８５による課金の何れかを、ユーザの選択操作によって行うようになっている。
【００８９】
すなわち、例えばユーザがプリペイドカード８２よる課金を選択する操作を操作盤１６を介して行うと、課金先選択回路８３は、この選択に応じたシステム制御回路７４からの信号により、この光ディスク装置８１に着脱自在に保持されたプリペイドカード８２をアクセスし、記録されている内容を更新することにより、プリペイドカード８２による課金処理を行う。例えばユーザが集計センタ８５による課金処理を選択したときは、課金先選択回路８３は、電話回線８４を介した集計センタ８５とのデータ交換により、課金の処理を実行する。このとき、課金先選択回路８３は、光ディスク７２を特定する管理情報と曲名を特定する管理情報を併せて、プリペイドカード８２に記録するとともに、集計センタ８５に通知する。これらの管理情報は、例えば光ディスク７２のリードインエリアに記録されている管理情報である。
【００９０】
図１４に示す構成の光ディスク装置８１では、種々の課金方法をユーザが選択することができるとともに、図１２に示す光ディスク装置７１と同様に、利用に応じた料金を徴収でき、違法コピーを有効に防止することができる。
【００９１】
なお、上述した光ディスク装置では、外部機器の種類を判定できないときは、ディジタルオーディオ信号を伝送するようにしているが、本発明は、これらの具体例に限定されものではなく、例えばディジタルオーディオ信号の伝送を停止するようにしてもよい。すなわち、認証できない機器は、コピー機能を有する疑わしい機器と考えることもでき、ディジタルオーディオ信号の伝送を停止することによって、違法コピーを防止することができる。
【００９２】
また、上述した光ディスク装置では、倍速再生のときに、コピーを禁止できるようにディジタルオーディオ信号の伝送を停止するようにしているが、本発明はこれらの具体例に限定されるものではなく、例えば４倍速以上の再生のときに、コピーを禁止できるようにディジタルオーディオ信号の伝送を停止する等、ディジタルオーディオ信号を伝送するか否かの判定基準であるデータ伝送速度を、必要に応じて様々に設定できるようにしてもよい。
【００９３】
上述した光ディスク装置では、外部機器がコピー機能を有する機器のときに課金するようにしているが、本発明は、これらの具体例に限定されるものではなく、例えば外部機器がコピー機能を有しない場合でも、課金するようにしてもよい。また、例えば、コピー機能を有する機器と、コピー機能を有しない機器とで、課金の金額を切り換えるようにしてもよい。また、例えば、単にデータ伝送速度又はデータ伝送量に応じて、又はこれらを組み合わせに応じて課金するようにしてもよい。
【００９４】
上述した光ディスク装置では、課金の有無に係わらず暗号化しないでディジタルオーディオ信号を伝送するようにしているが、本発明は、これらの具体例に限定されるものではなく、例えば、課金処理と暗号化処理を組み合わせるようにしてもよい。すなわち、外部機器がコピー機能を有する機器のときは、暗号化してディジタルオーディオ信号を伝送することにより、違法コピーを防止することができる。
【００９５】
上述した光ディスク装置では、単に外部機器の種類、データ転送速度、データ量に応じて課金の処理を切り換えるようにしているが、本発明は、これらの具体例に限定されるものではなく、例えば、コピー許可情報に応じて課金の処理を切り換えるようにしてもよい。また、例えば、著作権者の意図に従って、特定の光ディスク、又は特定の曲だけを課金するようにしてもよい。また、例えば、曲に応じて課金の料率又は金額を切り換えるようにしてもよい。
【００９６】
上述の具体例では、コンパクトディスク、ＣＤ−Ｒを再生する光ディスク装置について説明したが、本発明は、これらの具体例に限定されるものではなく、例えば所謂ＭＤ（商標）、ディジタルビデオディスク（ＤＶＤ）等の種々の記録媒体からディジタルオーディオ信号を再生して伝送する場合にも適用することができる。この場合、記録媒体の種類に応じ、例えば、再生専用の記録媒体と記録再生可能な記録媒体とでディジタルオーディオ信号の伝送制御、課金処理を切り換えるようにしてもよい。また、例えば、ディジタル衛星放送の受信機であるセットトップボックス、ＩＥＥＥ１３９４インターフェイスによってネットワークに接続されたアンプ、ディジタルオーディオテープレコーダ、フラッシュメモリ装置、パーソナルコンピュータ等にも、本発明を適用するようにしてもよい。また、例えばディジタルビデオ信号を再生して伝送する用途にも、本発明を適用するようにしてもよい。この場合、ディジタルビデオ信号は、圧縮処理が施されたものであってもよい。
【００９７】
上述の具体例では、ＩＥＥＥ１３９４インターフェイスを介して外部機器を接続する光ディスク装置について説明したが、本発明は、これらの具体例に限定されるものではなく、例えばＵＳＢ（Ｕｎｉｖｅｒｓａｌ Ｓｅｒｉａｌ Ｂｕｓ）、ＳＣＳＩインターフェイス等の種々のインターフェイスを有する各種機器等にも、本発明を適用することができる。
【００９８】
図１５は、種々のインターフェイスを有する再生装置と外部機器である記録装置との具体的な接続を示すブロック図である。図１５に示すように、再生装置９１は、例えばコンパクトディスク（ＣＤ）プレーヤ、ディジタルオーディオテープレコーダ（ＤＡＴ）、ＭＤプレーヤ、ハードディスク装置（ＨＤＤ）、ＤＶＤ−オーディオプレーヤ、ＥＭＤプレーヤ、ＳＤＭＩ（Ｓｅｃｕｒｅ Ｄｉｇｔａｌ Ｍｕｓｉｃ Ｉｎｉｔｉａｔｉｖｅ）方式の携帯機器（ＰＤ：Ｐｏｒｔａｂｌｅ Ｄｉｖｉｃｅ）からなり、種々のインターフェイス、例えばアナログインターフェイス、ＩＥＣ９５８インターフェイス、ＩＥＥＥ１３９４インターフェイスからなるインターフェイス９１Ｂを備える。記録装置９２は、著作権に対応してない外部機器であり、例えばＣＤ−Ｒレコーダ、ＣＤ−ＲＷレコーダ、ＭＤレコーダ、ＤＡＴ、ＨＤＤ等からなる。記録装置９３は、著作権に対応した外部機器であり、例えばＭＳレコーダ、ＤＶＤ−ＲＡＭ、ＳＤＭＩ−ＰＤからなる。再生装置９１は、内蔵する記録媒体又は半導体メモリから、ディジタルオーディオ信号を再生するとともに、必要に応じてディジタルオーディオ信号をアナログオーディオ信号に変換し、アナログオーディオ信号又はディジタルオーディオ信号を、アナログインターフェイスバス９４、ＩＥＣ９５８インターフェイスバス９５又はＩＥＥＥ１３９４インターフェイスバス９６を介して、記録装置９２又は記録装置９２に伝送する。この際、再生装置９１に内蔵されている出力制御回路９１Ａは、インターフェイス９１Ｂの種類に応じて、アナログオーディオ信号及びディジタルオーディオ信号の伝送を制御する。
【００９９】
具体的には、図１６に示すフローチャートのステップＳ３１において、インターフェイス９１Ｂのいずれのインターフェイスが、ユーザの操作又は記録装置９２，９３から要求によって選択されたかを判定し、出力制御回路９１Ａは、アナログインターフェイスが選択されているときはステップＳ３２に進み、ＩＥＣ９５８インターフェイスが選択されているときはステップＳ３７に進み、ＩＥＥＥ１３９４インターフェイスが選択されているときは、ステップＳ４４に進む。
【０１００】
ステップＳ３２において、出力制御回路９１Ａは、インターフェイス９１Ｂをアナログインターフェイスとして設定した後、ステップＳ３３に進む。ステップＳ３３において、出力制御回路９１Ａは、記録媒体又は半導体メモリからのディジタルオーディオの再生が、音楽の再生と同じであるリアルタイム再生、すなわち等速再生であるかを判定し、該当しない（ＮＯ）ときはステップＳ３４に進み、該当するときはステップＳ３５に進む。ステップＳ３４において、出力制御回路９１Ａは、アナログオーディオ信号の伝送を停止する。一方、ステップＳ３５において、出力制御回路９１Ａは、アナログオーディオ信号に、例えばウォータマーク等の著作権制御情報を付加し、ステップＳ３６に進む。ステップＳ３６において、出力制御回路９１Ａは、著作権制御情報が付加されたアナログオーディオ信号を、インターフェイス９１Ｂからアナログインターフェイス９４を介して、記録装置９２，９３のインターフェイス９２Ａ，９３Ａに伝送する。著作権に対応していない記録装置９２は、伝送されてくるアナログオーディオ信号をディジタルオーディオ信号に変換して、内蔵する記録媒体に記録する。著作権に対応している記録装置９３は、伝送されてくるアナログオーディオ信号をディジタルオーディオ信号に変換して、内蔵する記録媒体又は半導体メモリに記録するとともに、伝送されてくる著作権制御情報を取り込む。著作権制御情報は、記録装置９３において再びコピーを行うことを禁止する等の著作権保護のために用いられる。
【０１０１】
一方、ステップＳ３７において、出力制御回路９１Ａは、インターフェイス９１ＢをＩＥＣ９５８インターフェイスとして設定した後、ステップＳ３８に進む。ステップＳ３８において、出力制御回路９１Ａは、ディジタルオーディオ信号の再生が等速再生であるかを判定し、該当しないときはステップＳ３９に進み、該当するときはステップＳ４０に進む。ステップＳ３９において、出力制御回路９１Ａは、ディジタルオーディオ信号の伝送を停止する。一方、ステップＳ４０において、出力制御回路９１Ａは、記録媒体から再生されたディジタルオーディオ信号が、例えばサンプリング周波数が４４．１ｋＨｚ、量子化数が１６ビット直線であるＣＤ音質以下であるかを判定し、該当するときはステップＳ４１に進み、該当しないときはステップＳ４２に進む。ステップＳ４１において、出力制御回路９１Ａは、ディジタルオーディオ信号をＣＤ音質以下となるようにダウンコンバートして、ステップＳ４２に進む。ステップＳ４２において、出力制御回路９１Ａは、ディジタルオーディオ信号に、例えばウォータマーク、ＳＣＭＳ等の著作権制御情報を付加し、ステップＳ４３に進む。ステップＳ４３において、出力制御回路９１Ａは、著作権制御情報が付加されたディジタルオーディオ信号を、インターフェイス９１ＢからＩＥＣ９５８インターフェイス９５を介して、記録装置９２，９３のインターフェイス９２Ａ，９３Ａに伝送する。
【０１０２】
一方、ステップＳ４４において、出力制御回路９１Ａは、インターフェイス９１ＢをＩＥＥＥ１３９４インターフェイスとして設定した後、ステップＳ４５に進む。ステップＳ４５において、出力制御回路９１Ａは、ＩＥＥＥ１３９４インターフェイス９６を介して、外部機器である記録装置９２，９３の機器種別ＩＤを取得して、ステップＳ４６に進む。ステップＳ４６において、出力制御回路９１Ａは、機器種別ＩＤに基づいて、記録装置９２，９３の種類を認証できるかを判定し、該当しないときはステップＳ３７に進み、上述したステップＳ３７〜ステップＳ４３の処理を行う。一方、出力制御回路９１Ａは、該当するときはステップＳ４７に進み、記録装置９２，９３が記録装置であるかを判定する。出力制御回路９１Ａは、該当しないとき、すなわち外部機器がステレオアンプ等のときはステップＳ４８に進み、ディジタルオーディオ信号を、ＩＥＥＥ１３９４インターフェイス９６を介して、ステレオアンプ等の外部機器（図示せず）９２，９３に伝送する。一方、出力制御回路９１Ａは、該当するときはステップＳ４９に進み、記録装置９２，９３がデータを蓄積保持可能な機器、すなわちコピー機能を有する機器であるかを判定する。出力制御回路９１Ａは、該当しないときはステップＳ５０に進み、ディジタルオーディオ信号の伝送を停止する。一方、出力制御回路９１Ａは、該当するときはステップＳ５１に進み、記録装置９２，９３が著作権対応機器であるかを判定する。出力制御回路９１Ａは、該当しないときはステップＳ５０に進み、ディジタルオーディオ信号の伝送を停止する。一方、出力制御回路９１Ａは、該当するときはステップＳ５２に進み、ディジタルオーディオ信号に、例えばウォータマーク及び／又は所謂ＣＣＩ等のデータを付加した後、ステップＳ５３に進む。ステップＳ５３において、出力制御回路９１Ａは、ウォータマーク等の著作権制御情報が付加されたディジタルオーディオ信号を暗号化して、ステップＳ５４に進む。ステップＳ５４において、出力制御回路９１Ａは、暗号化されたディジタルオーディオ信号を、アナログインターフェイス９４を介して記録装置９２，９３に伝送する。
【０１０３】
すなわち、再生装置９１では、アナログオーディオ信号又はディジタルオーディオ信号を外部機器に伝送するインターフェイスの種類に応じて、アナログオーディオ信号又はディジタルオーディオ信号の伝送を制御することにより、違法コピーを防止することができる。
【０１０４】
図１７は、外部機器が著作権対応機器か否かに応じて、アナログオーディオ信号又はディジタルオーディオ信号の伝送を制御する出力制御回路９１Ａの動作を説明するためのフローチャートである。
【０１０５】
ステップＳ６１において、出力制御回路９１Ａは、ＩＥＥＥ１３９４インターフェイス９６を介して、外部機器である記録装置９３が著作権対応機器であること示す情報（以下、著作権対応機器情報という。）を取得して、ステップＳ６２に進む。
【０１０６】
ステップＳ６２において、出力制御回路９１Ａは、著作権対応機器情報に基づいて、外部機器が著作権対応機器であるかを判定し、対応機器であるときはステップＳ６３に進み、著作権制御情報によって対応機器でないこと検出できるとき、又は対応機器であるか否かが不明なときはステップＳ７４に進む。ステップＳ６３において、出力制御回路９１Ａは、著作権制御情報に基づいて、著作権対応が、例えば対応Ａであるか、対応Ｂであるかを識別し、対応ＡのときはステップＳ６４に進み、対応ＢのときはステップＳ６９に進む。
【０１０７】
ステップＳ６４において、出力制御回路９１Ａは、記録媒体から再生されたディジタルオーディオ信号がコピーを許可されている内容かを判定し、該当するときはステップＳ６５に進み、該当しないときはステップＳ６６に進む。出力制御回路９１Ａは、ステップＳ６５において、ディジタルオーディオ信号を対応Ａのルールに従って伝送する。一方、ステップＳ６６において、出力制御回路９１Ａは、外部機器がコピー機能を有する機器かを判定して、該当しないときはステップＳ６７に進み、ディジタルオーディオ信号を対応Ａのルールに従って伝送する。一方、出力制御回路９１Ａは、該当するときはステップＳ６８に進み、ディジタルオーディオ信号の伝送を停止する。
【０１０８】
ステップＳ７４において、出力制御回路９１Ａは、外部機器が著作権対応機器でないときは、ステップＳ７５に進み、ディジタルオーディオ信号の伝送を停止する。一方、出力制御回路９１Ａは、外部機器が著作権対応機器であるか否かが不明なときは、ステップＳ７６に進む。
【０１０９】
ステップＳ７６において、出力制御回路９１Ａは、ＩＥＥＥ１３９４インターフェイス９６を介して、例えば外部機器である記録装置９３の所定のメモリ９３Ｃにアクセスし、ステップＳ７７に進む。ステップＳ７７において、出力制御回路９１Ａは、メモリ９３Ｃに著作権対応フラグ（又はマーク）が予め記憶されているかを判定し、該当するときはステップＳ６３に進み、上述したステップＳ６３〜ステップＳ７２の処理を行う。一方、出力制御回路９１Ａは、該当しないときはステップＳ７８に進み、メモリ９３Ｃに著作権対応フラグが立っていないか、外部機器がメモリ９３Ｃを備えていなく、著作権対応フラグが不明なときはステップＳ８０に進む。ステップＳ７９において、出力制御回路９１Ａは、ディジタルオーディオ信号の伝送を停止する。ステップＳ８０において、出力制御回路９１Ａは、例えば外部機器から上述した機種種別ＩＤを取得し、機種種別ＩＤを用いて、インターネット９７を介し、著作権管理センタ９８に著作権対応機器情報を照会して、ステップＳ８１に進む。ステップＳ８１において、出力制御回路９１Ａは、照会した著作権対応機器情報に基づいて、外部機器が著作権対応機器であるかを判定し、該当するときはステップＳ６３に進み、上述したステップＳ６３〜ステップＳ７３の処理を行う。出力制御回路９１Ａは、該当しないときはステップＳ８２に進み、ディジタルオーディオ信号の伝送を停止する。
【０１１０】
すなわち、再生装置９１では、外部機器が著作権対応機器である否かに基づいて、アナログオーディオ信号又はディジタルオーディオ信号の伝送を制御することにより、違法コピーを防止することができる。
【０１１１】
図１８は、著作権に対応したプレーヤ（以下、著作権対応プレーヤという。）と、ＳＤＭＩ方式の携帯機器（以下、ＳＤＭＩ−ＰＤという。）の具体的な接続を示すブロック図である。図１８に示すように、著作権対応プレーヤ１００は、著作権対応データを再生する再生機構１００Ａと、ＰＤインターフェイス１００Ｂと、携帯媒体（ＰＭ：Ｐｏｒｔａｂｌｅ Ｍｅｄｉａ）インターフェイス１００Ｃとを備える。セキュウアストレージ装置１０２は、ＰＭインターフェイスを内蔵した携帯機器１０２Ａからなる。そして、著作権対応プレーヤ１００は、ディジタルオーディオ信号を、ＰＤインターフェイス１００Ｂを介してセキュウアストレージ装置１０２に伝送する。又は、著作権対応プレーヤ１００は、ディジタルオーディオ信号をＰＭインターフェイス１０１を介して携帯媒体１０１に記録又は記憶し、携帯機器１０２Ａは、携帯媒体１０１からディジタルオーディオ信号を再生し、アナログオーディオ信号に変換して出力する。このように、携帯媒体１０１を介してディジタルオーディオ信号を伝送する場合であっても、著作権対応プレーヤ１００は、上述した各種のディジタルオーディオ信号の伝送制御を行う。
【０１１２】
産業上の利用可能性
本発明では、インターフェイスに接続された外部機器の種類、インターフェイスの種類、コピー許可情報等に応じて、外部機器への出力データの伝送を制御することにより、また課金処理を制御することによって、違法コピーを防止することができる。
【図面の簡単な説明】
【図１】  図１は、本発明を適用した光ディスク装置の具体的な構成を示すブロック図である。
【図２】  図２は、図１に示す光ディスク装置を構成するシステム制御回路の動作を説明するためのフローチャートである。
【図３】  図３は、本発明を適用した光ディスク装置の具体的な構成を示すブロック図である。
【図４】  図４は、コピー許可情報の具体例を示す図である。
【図５】  図５は、本発明を適用した光ディスク装置の具体的な構成を示すブロック図である。
【図６】  図６は、図５に示す光ディスク装置を構成するシステム制御回路の動作を説明するためのフローチャートである。
【図７】  図７は、図５に示す光ディスク装置を構成するシステム制御回路の動作を説明するためのフローチャートである。
【図８】  図８は、コピー許可情報の具体例を示す図である。
【図９】  図９は、本発明を適用した光ディスク装置の具体的な構成を示すブロック図である。
【図１０】  図１０は、本発明を適用した光ディスク装置の具体的な構成を示すブロック図である。
【図１１】  図１１は、本発明を適用した光ディスク装置の具体的な構成を示すブロック図である。
【図１２】  図１２は、本発明を適用した光ディスク装置の具体的な構成を示すブロック図である。
【図１３】  図１３は、図１２に示す光ディスク装置を構成するシステム制御回路の動作を説明するためのフローチャートである。
【図１４】  図１４は、本発明を適用した光ディスク装置の具体的な構成を示すブロック図である。
【図１５】  図１５は、種々のインターフェイスを有する再生装置と外部機器との具体的な接続を示すブロック図である。
【図１６】  図１６は、図１５に示す再生装置を構成する出力制御回路の動作を説明するためのフローチャートである。
【図１７】  図１７は、図１５に示す再生装置を構成する出力制御回路の動作を説明するためのフローチャートである。
【図１８】  図１８は、著作権対応プレーヤとＳＤＭＩ−ＰＤの具体的な接続を示すブロック図である。
【図１】
0004325115.tif 000002
【図２】
0004325115.tif 000003
【図３】
0004325115.tif 000004
【図４】
0004325115.tif 000005
【図５】
0004325115.tif 000006
【図６】
0004325115.tif 000007
【図７】
0004325115.tif 000008
【図８】
0004325115.tif 000009
【図９】
0004325115.tif 000010
【図１０】
0004325115.tif 000011
【図１１】
0004325115.tif 000012
【図１２】
0004325115.tif 000013
【図１３】
0004325115.tif 000014
【図１４】
0004325115.tif 000015
【図１５】
0004325115.tif 000016
【図１６】
0004325115.tif 000017
【図１７】
0004325115.tif 000018
【図１８】
0004325115.tif 000019